(57)【要約】【課題】係止したコードが容易に外れない係止構造を有するヘッドホン（５０）を提供する。【解決手段】スピーカ部（１Ｌ，１Ｒ）と、これに接続されたコード（２Ｌ，２Ｒ）とを備え、コードと一体的に形成された本体部（４ｈ）と、本体部の表面（４ｄ）から突出する一対の腕部（１５ｂ，１６ｂ）と、を有するハウジング部（４）をさらに備え、一対の腕部はそれぞれ、表面に接続した基部（１５ｋ，１６ｋ）と、そこから延在して表面から離隔した中間部（１５ｔｋ，１６ｔｋ）と、中間部（１５ｔｋ，１６ｔｋ）よりも表面に近い位置でスリット（１５ｃ，１６ｃ）を形成する先端部（１５ｓｔ，１６ｓｔ）と、を有し、一対の腕部は、それぞれの基部に対してスリットの位置する方向が互いに逆になるよう形成されている。【選択図】図１
2008306530.tif 000002
【特許請求の範囲】
【請求項１】
スピーカ部と、該スピーカ部に接続されたコードと、を備えたヘッドホンにおいて、
前記コードと一体的に形成された本体部と、該本体部の表面から突出する一対の腕部と、を有するハウジング部をさらに備え、
前記一対の腕部はそれぞれ、
前記表面に接続した基部と、該基部から延在して前記表面から離隔した中間部と、該中間部よりも前記表面に近い位置で該表面との間にスリットを形成する先端部と、を有し、
前記一対の腕部は、それぞれの前記基部に対して前記スリットの位置する方向が互いに逆になるよう形成されていることを特徴とするヘッドホン。
【請求項２】
スピーカ部と、該スピーカ部に接続されたコードと、該コードと連結した輪状のストラップと、を備えたヘッドホンにおいて、
前記コード又は前記ストラップと一体的に形成された本体部と、該本体部の表面から突出する一対の腕部と、を有するハウジング部をさらに備え、
前記一対の腕部はそれぞれ、
前記表面に接続した基部と、該基部から延在して前記表面から離隔した中間部と、該中間部よりも前記表面に近い位置で該表面との間にスリットを形成する先端部と、を有し、
前記一対の腕部は、それぞれの前記基部に対して前記スリットの位置する方向が互いに逆になるよう形成されていることを特徴とするヘッドホン。
【請求項３】
前記腕部の中間部における内側の面は、所定の軸を中心とする円弧状に形成されると共に前記一対の腕部それぞれの前記軸が非同軸とされていることを特徴とする請求項１又は請求項２記載のヘッドホン。
【請求項４】
スピーカ部と、該スピーカ部に接続されたコードと、を備えたヘッドホンにおいて、
前記コードと一体的に形成された本体部と、該本体部の表面から突出する３つ以上の腕部と、を有するハウジング部をさらに備え、
前記３つ以上の腕部はそれぞれ、
前記表面に接続した基部と、該基部から延在して前記表面から離隔した中間部と、該中間部よりも前記表面に近い位置で該表面との間にスリットを形成する先端部と、を有し、
前記３つ以上の腕部の互いに隣接する２つにおいて、それぞれの前記基部に対して前記スリットの位置する方向が互いに逆になるよう形成されていることを特徴とするヘッドホン。
【請求項５】
スピーカ部と、該スピーカ部に接続されたコードと、該コードと連結した輪状のストラップと、を備えたヘッドホンにおいて、
前記コード又は前記ストラップと一体的に形成された本体部と、該本体部の表面から突出する３つ以上の腕部と、を有するハウジング部をさらに備え、
前記３つ以上の腕部はそれぞれ、
前記表面に接続した基部と、該基部から延在して前記表面から離隔した中間部と、該中間部よりも前記表面に近い位置で該表面との間にスリットを形成する先端部と、を有し、
前記３つ以上の腕部の互いに隣接する２つにおいて、それぞれの前記基部に対して前記スリットが位置する方向が互いに逆になるよう形成されていることを特徴とするヘッドホン。
【請求項６】
前記腕部の中間部における内側の面は、所定の軸を中心とする円弧状に形成されると共に前記互いに隣接する腕部それぞれの前記軸が非同軸とされていることを特徴とする請求項４又は請求項５記載のヘッドホン。
【発明の詳細な説明】
【技術分野】
【０００１】
本発明は、ヘッドホンに係り、特に、耳に装着されるスピーカ部に接続されたコードを係止するコード係止構造を有するものに関する。
【背景技術】
【０００２】
携帯音楽プレーヤの普及に伴って、左右の耳に装着される２つのスピーカ部を有するヘッドホンも広く普及している。
このヘッドホンは、ヘッドバンドを備えた大型タイプと、インナーイヤーと称されるタイプに代表されるヘッドバンドを備えていない小型タイプとに大別される。
【０００３】
いずれのタイプも、音楽プレーヤなどの音声出力端子に接続する側は１本のコードとされ、途中の分岐部おいてそれぞれのスピーカ部に接続する２つのコードに分岐する構成とされている。
【０００４】
この構成において、ヘッドバンドを備えていないタイプの場合、スピーカ部を耳に装着していない状態では、その２つのスピーカ部が互いに位置規制されていないので、自由に動いてコードがとても絡まりやすい、という問題がある。
特に、ヘッドホンを鞄やポケットなどに納めておいて使用する際に取り出すと、とても複雑に絡まって容易にはほどけず、使用者は多大のストレスを感じる場合が多かった。
これは、近年流行しているネックストラップと一体になったネックストラップタイプのヘッドホンでも同様である。
【０００５】
そのため、このヘッドホンのコードの絡まりを防ぐための工夫が種々提案されており、例えば、特許文献１及び特許文献２に記載された構造がある。
この特許文献１及び特許文献２に記載された構造は、いずれも、ヘッドホンのリモコン部や分岐部にクリップを設け、そのクリップとリモコン部や分岐部の本体との間にコードを挟みこんで係止するという構造である。
【０００６】
【特許文献１】特開平３−１０７８９１号公報
【特許文献２】実開昭６１−１６８７９１号公報
【発明の開示】
【発明が解決しようとする課題】
【０００７】
しかしながら、上述した係止構造は、クリップを１片のみ有するものであるため、クリップにより保持したスピーカ側のコードを特定の方向（クリップの開口方向）に引っ張ることで外れてしまい、意図せず係止状態が解除され絡まってしまう可能性が高いものであった。
特に、鞄の中に収納しておいた場合に、他の収納物の出し入れの際にコードが引っかかって係止が解除されてクリップから外れ、使用しようとした際にはやはり絡まってしまっている、という場合があった。
【０００８】
そこで、本発明が解決しようとする課題は、係止したコードがあらゆる方向に引っ張られても容易に外れない係止構造を有するヘッドホンを提供することにある。
【課題を解決するための手段】
【０００９】
上記の課題を解決するために、本願発明は手段として次の１）〜６）の構成を有する。
１）  スピーカ部（１Ｌ，１Ｒ）と、該スピーカ部（１Ｌ，１Ｒ）に接続されたコード（２Ｌ，２Ｒ）と、を備えたヘッドホンにおいて、
前記コード（２Ｌ，２Ｒ）と一体的に形成された本体部（４ｈ）と、該本体部（４ｈ）の表面（４ｄ）から突出する一対の腕部（１５ｂ，１６ｂ）と、を有するハウジング部（４）をさらに備え、
前記一対の腕部（１５ｂ，１６ｂ）はそれぞれ、
前記表面（４ｄ）に接続した基部（１５ｋ，１６ｋ）と、該基部（１５ｋ，１６ｋ）から延在して前記表面（４ｄ）から離隔した中間部（１５ｔｋ，１６ｔｋ）と、該中間部（１５ｔｋ，１６ｔｋ）よりも前記表面（４ｄ）に近い位置で該表面（４ｄ）との間にスリット（１５ｃ，１６ｃ）を形成する先端部（１５ｓｔ，１６ｓｔ）と、を有し、
前記一対の腕部（１５ｂ，１６ｂ）は、それぞれの前記基部（１５ｋ，１６ｋ）に対して前記スリット（１５ｃ，１６ｃ）の位置する方向が互いに逆になるよう形成されていることを特徴とするヘッドホン（５０）である。
２）  スピーカ部（１Ｌ，１Ｒ）と、該スピーカ部（１Ｌ，１Ｒ）に接続されたコード（２Ｌ，２Ｒ）と、該コード（２Ｌ，２Ｒ）と連結した輪状のストラップ（５１）と、を備えたヘッドホンにおいて、
前記コード（２Ｌ，２Ｒ）又は前記ストラップ（５１）と一体的に形成された本体部（４ｈ）と、該本体部（４ｈ）の表面（４ｄ）から突出する一対の腕部（１５ｂ，１６ｂ）と、を有するハウジング部（４）をさらに備え、
前記一対の腕部（１５ｂ，１６ｂ）はそれぞれ、
前記表面（４ｄ）に接続した基部（１５ｋ，１６ｋ）と、該基部（１５ｋ，１６ｋ）から延在して前記表面（４ｄ）から離隔した中間部（１５ｔｋ，１６ｔｋ）と、該中間部（１５ｔｋ，１６ｔｋ）よりも前記表面（４ｄ）に近い位置で該表面（４ｄ）との間にスリット（１５ｃ，１６ｃ）を形成する先端部（１５ｓｔ，１６ｓｔ）と、を有し、
前記一対の腕部（１５ｂ，１６ｂ）は、それぞれの前記基部（１５ｋ，１６ｋ）に対して前記スリット（１５ｃ，１６ｃ）の位置する方向が互いに逆になるよう形成されていることを特徴とするヘッドホン（５０）である。
３）  前記腕部の中間部における内側の面（１５ａ，１６ａ）は、所定の軸（Ｃ１５，Ｃ１６）を中心とする円弧状に形成されると共に前記一対の腕部（１５ｂ，１６ｂ）それぞれの前記軸（Ｃ１５，Ｃ１６）が非同軸とされていることを特徴とする１）又は２）に記載のヘッドホン（５０）である。
４）  耳に装着され得るスピーカ部（１Ｌ，１Ｒ）と、該スピーカ部（１Ｌ，１Ｒ）に接続されたコード（２Ｌ，２Ｒ）と、を備えたヘッドホンにおいて、
前記コード（２Ｌ，２Ｒ）と一体的に形成された本体部（４ｈ）と、該本体部（４ｈ）の表面（４ｄ）から突出する３つ以上の腕部（３５Ａ，３６，３５Ｂ）と、を有するハウジング部（４）をさらに備え、
前記３つ以上の腕部（３５Ａ，３６，３５Ｂ）はそれぞれ、
前記表面に接続した基部（３５Ａｋ，３６ｋ，３５Ｂｋ）と、該基部（３５Ａｋ，３６ｋ，３５Ｂｋ）から延在して前記表面から離隔した中間（３５Ａｔｋ，３６ｔｋ，３５Ｂｔｋ）部と、該中間部（３５Ａｔｋ，３６ｔｋ，３５Ｂｔｋ）よりも前記表面（４ｄ）に近い位置で該表面（４ｄ）との間にスリット（３５Ａｃ，３６ｃ，３５Ｂｃ）を形成する先端部（３５Ａｓｔ，３６ｓｔ，３５Ｂｓｔ）と、を有し、
前記３つ以上の腕部（３５Ａ，３６，３５Ｂ）の互いに隣接する２つにおいて、それぞれの前記基部（３５Ａｋ，３６ｋ，３５Ｂｋ）に対して前記スリット（１５ｃ，１６ｃ）の位置する方向が互いに逆になるよう形成されていることを特徴とするヘッドホン（５０）である。
５）  スピーカ部（１Ｌ，１Ｒ）と、該スピーカ部（１Ｌ，１Ｒ）に接続されたコード（２Ｌ，２Ｒ）と、該コード（２Ｌ，２Ｒ）と連結した輪状のストラップ（５１）と、を備えたヘッドホンにおいて、
前記コード（２Ｌ，２Ｒ）又は前記ストラップ（５１）と一体的に形成された本体部（４ｈ）と、該本体部（４ｈ）の表面から突出する３つ以上の腕部（３５Ａ，３６，３５Ｂ）と、を有するハウジング部（４）をさらに備え、
前記３つ以上の腕部（３５Ａ，３６，３５Ｂ）はそれぞれ、
前記表面に接続した基部（３５Ａｋ，３６ｋ，３５Ｂｋ）と、該基部（３５Ａｋ，３６ｋ，３５Ｂｋ）から延在して前記表面（４ｄ）から離隔した中間部（３５Ａｔｋ，３６ｔｋ，３５Ｂｔｋ）と、該中間部（３５Ａｔｋ，３６ｔｋ，３５Ｂｔｋ）よりも前記表面（４ｄ）に近い位置で該表面（４ｄ）との間にスリット（１５ｃ，１６ｃ）を形成する先端部（１５ｓｔ，１６ｓｔ）と、を有し、
前記３つ以上の腕部（３５Ａ，３６，３５Ｂ）の互いに隣接する２つにおいて、それぞれの前記基部（３５Ａｋ，３６ｋ，３５Ｂｋ）に対して前記スリット（３５Ａｃ，３６ｃ，３５Ｂｃ）の位置する方向が互いに逆になるよう形成されていることを特徴とするヘッドホン（５０）である。
６）  前記腕部（３５Ａ，３６，３５Ｂ）の中間部（３５Ａｔｋ，３６ｔｋ，３５Ｂｔｋ）における内側の面（３５Ａａ，３６ａ，３５Ｂａ）は、所定の軸（Ｃ３５，Ｃ３６）を中心とする円弧状に形成されると共に前記互いに隣接する腕部それぞれの前記軸（Ｃ３５，Ｃ３６）が非同軸とされていることを特徴とする４）又は５）に記載のヘッドホン（５０）である。
【発明の効果】
【００１０】
本発明によれば、係止したコードが容易に外れないという効果を奏する。
【発明を実施するための最良の形態】
【００１１】
本発明の実施の形態を、好ましい実施例により図１〜図７を用いて説明する。
【００１２】
図１は、実施例のヘッドホン５０の外観斜視図である。
【００１３】
このヘッドホン５０は、ストラップ５１と、このストラップ５１から分岐したコード２Ｌ，２Ｒと、各コード２Ｌ，２Ｒの先端に接続された一対のスピーカ部１Ｌ，１Ｒと、を備えた、いわゆるネックストラップタイプのステレオヘッドホンである。
【００１４】
具体的に説明すると、このヘッドホン５０は、音声を出力し左右の耳にそれぞれ装着されるスピーカ部１Ｌ，１Ｒと、このスピーカ部１Ｌ，１Ｒに電気的に接続されたコード２Ｌ，２Ｒと、紐輪状のストラップ５１を構成する一対の第１ストラップ部３Ｌ，３Ｒと、第１ストラップ部３Ｌ，３Ｒの各一端側を結合する結合ハウジング４と、第１ストラップ部３Ｌ，３Ｒの各他端側とコード２Ｌ，２Ｒの一端側とをそれぞれ結合する中継ハウジング５Ｌ，５Ｒと、各中継ハウジング５Ｌ，５Ｒに一端側が連結され紐輪状のストラップ５１を第１のストラップ部３Ｌ，３Ｒと共に構成する第２ストラップ部６Ｌ，６Ｒと、この第２ストラップ部６Ｌ，６Ｒの他端側を連結する連結部ＲＫＢを備えている。
【００１５】
この連結部ＲＫＢは、第２ストラップ部６Ｌ，６Ｒの他端側にそれぞれ設けられた結合ケース７Ｌ，７Ｒで構成されている。この結合ケース７Ｌ，７Ｒは、使用者の意図により互いの結合と分離とが簡単に行えるものであり、結合状態で所定以上の力が付与されると分離するように構成されている。
【００１６】
従って、このヘッドホン５０は、ネックストラップ５１を簡単に開閉できるので、首への装着がとても容易であるばかりでなく、外部からの力で容易に分離するので、安全に使用することができる。
【００１７】
ヘッドホン５０は、この構成において、一端にスピーカ部１Ｌ，１Ｒが取り付けられたコード２Ｌ，２Ｒは、中継ハウジング５Ｌ，５Ｒにおいてストラップ５１から分離し、それぞれ延出した形態となっている。
【００１８】
一方、結合ハウジング４は、樹脂材料により概ね直方体に形成されており、その一つの端面４ａから第１ストラップ部３Ｌ，３Ｒが延出している。
この結合ハウジング４と第１ストラップ部３Ｌ，３Ｒとの中には、それぞれ信号線が連続して配設されており、スピーカ部１Ｌ，１Ｒとプラグ１０とは左右２チャネルが独立してそれぞれ電気的に接続されている。
【００１９】
また、結合ハウジング４の一つの側面４ｂからは、携帯音楽プレーヤなどの音声信号出力機器に接続するためのステレオタイプのプラグ１０が、プラグコード１１を介して引き出されている。
また、端面４ａと対向する他の端面４ｃには、着衣のボタンなどに引っかけることのできる紐輪状の小ストラップ２１が設けられている。
一方、側面４ｂと対向する他の側面４ｄには、一対のフック部１５，１６が形成されている。このフック部１５，１６について図２及び図３を用いて詳述する。
【００２０】
図２は、結合ハウジング４の拡大斜視図であり、図１に対してその反対側から見た図である。
図３は、結合ハウジング４の拡大平面図（側面図及び天面図）である。
【００２１】
結合ハウジング４は、略直方体に形成された本体部４ｈと、上述したように、この本体部４ｈから突出して形成された一対のフック部１５，１６と、を備えている。
このフック部１５，１６は、互いに同一形状であって、後述するスリットが逆向きになるように形成したものであり、代表としてフック部１６についてその形状を詳述する。
【００２２】
図３（ｂ）において、フック部１６は、側面４ｄから距離ｒを隔てた位置Ｃ１６を中心軸として、径ｒの内周面１６ａを有する略円弧状の腕部１６ｂとして形成されている。この結合ハウジング４は樹脂で形成されていることから、腕部１６ｂは、内周面１６ａの径を拡大する方向に可撓性を有する。
さらに詳細に説明すると、腕部１６ｂは、直方体に形成された本体部４ｈの一表面である側面４ｂにおいて、この側面４ｂに接続する基部１６ｋと、この基部１６ｋから側面４ｂに対する離隔方向に延出する中間部１６ｔｋと、この中間部１６ｔｋに連接し、その中間部１６ｔｋよりも側面４ｂに接近して側面４ｂとの間に後述するスリット１６ｃを形成する先端部１６ｓｔと、を備えている。
【００２３】
すなわち、腕部１６ｂは、その先端部１６ｓｔが、第１ストラップ部３Ｌ，３Ｒが引き出されている端面４ａ側に最狭部位で開口幅ｄ１なるスリット１６ｃを有するように形成されている。
また、腕部１６ｂの先端部１６ｓｔにおいては、スリット１６ｃの外方側に向かうに従って、本体部４ｈと離隔する方向に傾斜した誘導部１６ｄが形成されている。
また、腕部１６ｂの外側の面は、なだらかに傾斜する傾斜面１６ｅとされている。
フック部１５についても、フック部１６と同じ部位には同じ添え字を付与して以降説明するが、フック部１５は、上述したように、そのスリット１５ｃがフック部１６のスリット１６ｃとは逆向きの端面４ｃ側に開口するように形成されている。
【００２４】
ここで、各フック部１５，１６は、図３（ａ）に示すように、側面４ｄの両縁部に、互いの内面間距離ｄ２を有して形成されている。この内面間距離ｄ２は、コード２Ｌ，２Ｒの直径（コード２Ｌ，２Ｒが異径の場合は大きい方の直径）よりも大きくなるように設定されている。
【００２５】
また、図２で示すように、フック部１６の内周面１６ａの中心軸Ｃ１６と、フック部１５の内周面１５ａの中心軸Ｃ１５とは、距離ｄ３で離隔するように設定してある。
また、各フック部１５，１６におけるスリット１５ｃ，１６ｃの開口幅ｄ１は、コード２Ｌ，２Ｒが同径の場合、その直径よりもわずかに小さく形成され、コード２Ｌ，２Ｒが異径の場合、その小さい方の直径よりもわずかに小さく形成されている。
この開口幅ｄ１は、各コード２Ｌ，２Ｒの直径よりも大きく形成されていてもよい。その場合は、各スリット１５ｃ，１６ｃに対してコード２Ｌ，２Ｒをより容易に通せるが、外れ易くもなるので、コード２Ｌ，２Ｒの径や材質、フック部１５，１６の材質やデザインなどに応じて適宜設定するとよい。
また、腕部１５ｂ，１６ｂの内周面１５ａ，１６ｂの半径ｒは、コード２Ｌ，２Ｒが同径の場合、その直径よりも大きく形成され、異径の場合、両者の半径の和よりも大きく形成されている。
【００２６】
従って、コード２Ｌ，２Ｒは、図３（ａ）の矢印Ｄ１に示す方向で押し込むと、誘導部１５ｄ，１６ｄにガイドされ、腕部１５ｂ，１６ｂをスリット１５ｃ，１６ｃを広げる方向Ｄ２に撓ませながらこのスリット１５ｃ，１６ｃを通過して内周面１５ａ，１６ｂに囲まれた空間Ｓ１に２本共同時に収納される。
さらに、コード２Ｌ，２Ｒは、図３（ａ）に示すように、フック部１５とフック部１６との間の内面間距離ｄ２なる空間Ｓ２にも納められる。
各フック部１５，１６において空間Ｓ１，Ｓ２に納められたコード２Ｌ，２Ｒは、互いの接触や変形の反発力などによって発生する摩擦力により係止される。
【００２７】
一対のフック部１５，１６は、上述のように構成されているので、このヘッドホン５０は、コード２Ｌ，２Ｒを、このフック部１５，１６で以下の方法で係止することができる。その方法について図４を用いて説明する。
【００２８】
図４は、図２と同様方向から見た外観斜視図であり、コード２Ｌ，２Ｒをフック部１５，１６で係止した状態を示している。
【００２９】
まず、コード２Ｌ，２Ｒを、＜１＞で示すようにフック部１５のスリット１５ｃに図４の下側から通して図４の上方に引き上げる。これにより、コード２Ｌ，２Ｒは、フック部１５の内側の空間Ｓ１に収納されると共に空間Ｓ２にも納められる。
また、この引き上げにおいて、フック部１６の外側面１６ｅがなだらかに傾斜した傾斜面１６ｅとされているので、コード２Ｌ，２Ｒは腕部１６ｂに引っかかることなくスムーズに引き上げられる。
【００３０】
次に、上方に引き出したコード２Ｌ，２Ｒを、＜２＞で示すようにフック部１６のスリット１６ｃを通して下側に引き下ろす。
これにより、コード２Ｌ，２Ｒは、フック部１６の内側の空間Ｓ１に収納される。
【００３１】
ここで、フック部１５における中心軸Ｃ１５とフック部１６における中心軸Ｃ１６とがスリット１５ｃ，１６ｃの離れる方向にずれた位置に設定され非同軸となっているので、フック部１５，１６の中心軸Ｃ１５，Ｃ１６とフック部１５，１６に挿通されたコード２Ｌ，２Ｒとの関係を模式的に示した図５からわかるように、コード２Ｌ，２Ｒは、フック部１５及びフック部１６に対して図５において横向きとなるＳ字状を呈して挿通され係止される。
【００３２】
以上、詳述した係止構造と係止方法によれば、一対のスリット１５ｃ，１６ｃの、中心軸Ｃ１５，Ｃ１６に対して開口する向きが１８０°の反対方向に向いているので、各フック部１５，１６に挿通されたコード２Ｌ，２Ｒを挿通方向に直交する特定の一方向に引っ張り上げても、容易に外れることはない、という効果が得られる。
【００３３】
また、コード２Ｌ，２Ｒは、各フック部１５，１６に対してＳ字状を呈して挿通されているので、コード２Ｌ，２Ｒをその延在方向（例えば、図５における矢印Ｄ４方向）に引っ張っても各フック部１５，１６との当接部位でより多くの摩擦力が発生して係止位置がずれにくい、という効果が得られる。
【００３４】
上述した実施例は、フック部を一対形成した例であるが、フック部を３つ以上形成してもよい。
その代表として、実施例に対してフック部を１つ増やして３つ形成した変形例を、図６を用いて説明する。
この増やしたフック部の形状は上述した実施例のフック部１５，１６と同じである。
【００３５】
図６は、実施例の結合ハウジング４に相当する変形例の結合ハウジング３４を示す外観斜視図である。
【００３６】
この結合ハウジング３４は、その端面３４ａから第１ストラップ部３Ｌ，３Ｒが引き出されており、側面３４ｄに、端面３４ａとは反対側に向けて開口するスリット３５Ａｃ，３５Ｂｃを有する一対のフック部３５Ａ，３５Ｂと、その一つのフック部３５Ａ，３５Ｂの間に端面３４ａ側に設けられ、端面３４ａ側に向けて開口するスリット３６ｃを有するフック部３６と、を有して形成されている。
フック部３５Ｂｂを代表に詳細に説明すると、腕部３５Ｂｂは、直方体に形成された本体部４ｈの一表面である側面４ｂにおいて、この側面４ｂに接続する基部３５Ｂｋと、この基部３５Ｂｋから側面４ｂに対する離隔方向に延在する中間部３５Ｂｔｋと、この中間部３５Ｂｔｋよりも側面４ｂに接近して側面４ｂとの間に後述するスリット３５Ｂｃを形成する先端部３５Ｂｓｔと、を備えている。
ここで、一対のフック部３５Ａ，３５Ｂの内周面３５ａの中心軸は同芯のＣ３５であり、フック部３６の内周面３６ａの中心軸Ｃ３６は、中心軸Ｃ３５に対して距離ｄ６を隔てて設定されている。
３つ以上フック部を形成した場合は、少なくとも隣接するフック部同士で中心軸が非同軸とされていればよい。
また、３つのフック部３５Ａ，３５Ｂ，３６は、互いに内面間距離として隙間ｄ７を有して形成されており、この隙間ｄ７は、コード２Ｌ，２Ｒの直径（異径の場合は大きい方の直径）よりも大きくなるように設定されている。
【００３７】
この構成において、コード２Ｌ，２Ｒを、まず、図６の矢印＜３１＞のように、フック部３５Ａのスリット３５Ａｃに挿通させた後、上方に引き上げる。
この引き上げにおいて、フック部３６の外側面がなだらかに傾斜した傾斜面３６ｅとされているので、コード２Ｌ，２Ｒは腕部３６ｂに引っかかることなくスムーズに引き上げられる。
【００３８】
次に、矢印＜３２＞に示すように、上方からフック部３６のスリット３６ｃに挿通させた後、下方に引き下げる。
この引き下げにおいて、フック部３５Ｂの外側面がなだらかに傾斜した傾斜面３５Ｂｅとされているので、コード２Ｌ，２Ｒは腕部３５Ｂｂに引っかかることなくスムーズに引き上げられる。
【００３９】
次に、矢印＜３３＞に示すように、下方からフック部３５Ｂのスリット３５Ｂｃに挿通させた後、上方に引き上げる。
【００４０】
これにより、コード２Ｌ，２Ｒは、各フック部３５Ａ，３６，３５Ｂの内周面３５Ａａ，３６ａ，３５Ｂａの内側に収納されると共に、各フック部の間隙にも納められる。
【００４１】
ここで、フック部３６における中心軸Ｃ３６とフック部３５Ａ，３５Ｂにおける中心軸Ｃ３５とが異なる位置に設定されているので、各フック部３５Ａ，３６，３５Ｂの中心軸Ｃ３５，Ｃ３６と各フック部に挿通されたコード２Ｌ，２Ｒとの関係を模式的に示した図７からわかるように、コード２Ｌ，２Ｒは、３つのフック部３５Ａ，３６，３５Ｂに対して略Ｗ字状を呈して挿通され、互いの接触や変形の反発力などによって発生する摩擦力により係止される。
【００４２】
以上、詳述した変形例の係止構造と係止方法によれば、スリット３５Ａｃ，３５Ｂｃとスリット３６ｃとで開口する向きが互いに１８０°の反対方向に向いており、そのフック部の数が実施例の場合よりも多いので、各フック部３５Ａ，３６，３５Ｂに挿通支持されたコード２Ｌ，２Ｒを挿通方向に直交する特定の一方向に引っ張り上げても、さらに容易に外れることはない、という効果が得られる。
【００４３】
また、コード２Ｌ，２Ｒは、各フック部３５Ａ，３６，３５Ｂに対してＷ字状を呈して挿通支持されているので、コード２Ｌ，２Ｒをその延在方向（例えば、図７における矢印Ｄ３４方向）に引っ張っても各フック部３５Ａ，３６，３５Ｂとの当接部位でより多くの摩擦が発生して係止位置が極めてずれにくい、という効果が得られる。
【００４４】
図６を用いて説明した変形例においては、結合ハウジング３４の外側のフック部３５Ａ，３５Ｂのスリット３５Ａｃ，３５Ｂｃがヘッドホンの使用状態で鉛直下方に位置し、真ん中のフック部３６のスリット３６ｃが鉛直上方に位置する例を説明したが、これとは逆に、外側のフック部３５Ａ，３５Ｂを、そのスリット３５Ａｃ，３５Ｂｃがヘッドホンの使用状態で鉛直上方に位置するよう形成し、フック部３６を、そのスリット３６ｃが鉛直上方に位置するように形成してもよい。
この場合、ネックストラップ５１を首に掛け、スピーカ部１Ｌ，１Ｒを耳から外してぶら下げた場合に、スピーカ部１Ｌ，１Ｒは重力により鉛直下方に位置するので、係止したコード２Ｌ，２Ｒの挿通形態であるＷ状において、各部材との摩擦力が更に増加し、より外れ難くなるので好ましい。
【００４５】
本発明の実施例は、上述した構成及び手順に限定されるものではなく、本発明の要旨を逸脱しない範囲において変形例としてもよいのは言うまでもない。
【００４６】
上述した実施例やその変形例においては、スピーカ部に接続されたコードの分岐部となる結合ハウジングにフック部を設けているが、結合ハウジング以外の部材にフック部を設けてもよい。
具体的には、中継ハウジング５Ｌ，５Ｒのいずれか、あるいは、連結部ＲＫＢの結合ケース７Ｌ，７Ｒのいずれかであってもよい。
【００４７】
さらには、実施例で説明していないリモコンを備えてそのリモコンのハウジングに設けてもよく、また、コード２Ｌ，２Ｒやネックストラップ５１にモールドによりフック部形成用の部材を一体的に設け、その部材にフック部を形成してもよい。
すなわち、ヘッドホンを構成するコードまたはネックストラップに一体的に樹脂製ハウジングを形成し、そのハウジングにフック部を形成する構成であればよい。
【００４８】
本発明の実施例が適用されるヘッドホンは、ネックストラップを備えていないタイプのヘッドホンにも適用できることは言うまでもない。
また、ステレオタイプに限らず、スピーカを１つのみ備えたモノラルタイプのヘッドホン（いわゆるイヤホン）にも、もちろん適用できる。
【図面の簡単な説明】
【００４９】
【図１】本発明のヘッドホンの実施例を説明する外観斜視図である。
【図２】本発明のヘッドホンの実施例における要部を説明するための拡大斜視図である。
【図３】本発明のヘッドホンの実施例における要部を説明するための平面図である。
【図４】本発明のヘッドホンの実施例における機能を説明するための部分斜視図である。
【図５】本発明のヘッドホンの実施例における機能を説明するための模式図である。
【図６】本発明のヘッドホンの実施例における変形例の要部を説明するための部分斜視図である。
【図７】本発明のヘッドホンの実施例における変形例の機能を説明するための模式図である。
【符号の説明】
【００５０】
１Ｌ，１Ｒ  スピーカ部
２Ｌ，２Ｒ  コード
３Ｌ，３Ｒ  第１ストラップ部
４，３４  結合ハウジング
４ａ，４ｃ，３４ａ  端面
４ｂ，４ｄ，３４ｄ  側面
４ｈ  本体部
５Ｌ，５Ｒ  中継ハウジング
６Ｌ，６Ｒ  第２ストラップ部
７Ｌ，７Ｒ  結合ケース
１０  プラグ
１１  プラグコード
１５，１６  フック部
１６ａ，３５Ａａ，３５Ｂａ，３６ａ  内周面
１６ｂ，１５ｂ，３５Ａｂ，３５Ｂｂ，３６ｂ  腕部
１６ｃ，１５ｃ，３５Ａｃ，３５Ｂｃ，３６ｃ  スリット
１６ｄ，１５ｄ  誘導部
１６ｋ  基部
１６ｅ，３５Ｂｅ，３６ｅ  傾斜面
１６ｓｔ  先端部
１６ｔｋ  中間部
２１  小ストラップ
５０  ヘッドホン
５１  ストラップ
Ｃ１５，Ｃ１６，Ｃ３５，Ｃ３６  中心（軸）
ｄ１  開口幅
ｄ２，ｄ７  内面間距離
ｄ３，ｄ６  （中心軸間）距離
ＲＫＢ  連結部
Ｓ  空間
【図１】
2008306530.tif 000003
【図２】
2008306530.tif 000004
【図３】
2008306530.tif 000005
【図４】
2008306530.tif 000006
【図５】
2008306530.tif 000007
【図６】
2008306530.tif 000008
【図７】
2008306530.tif 000009